(57)【特許請求の範囲】
【請求項１】
唐箕軸と一体に回転するように起風羽根をステーを介して唐箕軸に取り付けてある脱穀装置の唐箕であって、
前記起風羽根の半径方向での内端縁と唐箕軸との間隔を、唐箕軸軸線方向での端部において部分的に広くした端部空間部分を形成し、
前記唐箕軸のうち唐箕ケース内に位置する部分に、唐箕軸と一体に回転することにより、唐箕ケースに形成の吸気口から外部の空気を吸気する吸引手段を取り付けて、
この吸引手段を、前記起風羽根と唐箕軸とを連結する部材に起風用部分を設けることによって構成し、かつ、前記端部空間部分に位置させてある脱穀装置の唐箕。
【発明の詳細な説明】
【０００１】
【発明の属する技術分野】
本発明は、主として、コンバインやハーベスタなどに搭載される脱穀装置の唐箕に関する。
【０００２】
【従来の技術】
唐箕は、唐箕ケースの両側面に形成した吸気口から外気を吸入して周方向に送出する構造であり、その為、例えば特開平９‐５６２５０号公報に開示されているように、唐箕ケースに形成した吸気口を横断する状態で軸受けステーを取付けて、この軸受けステーに唐箕軸を支持するのが一般的となっている。
【０００３】
近年、脱穀装置においては脱穀能力の増大、および、選別能力の増大が望まれており、これに伴って唐箕における風量を増大することが必要となっている。そこで、唐箕軸のうち唐箕ケースよりも外方に突出する部分に、唐箕軸と一体に回転して唐箕ケース内に向けて送風するファンを設けることが提案されている。
【０００４】
【発明が解決しようとする課題】
しかし、唐箕ケースよりも外方に突出した唐箕軸部分には、一般に伝動プーリが１枚、あるいは複数枚取付けられているので、さらにファンを取り付けると、駆動系も含めた唐箕全体の構造が軸芯方向で大きなものになりやすく、脱穀装置の小型化の弊害になるものであった。
【０００５】
本発明は、このような点に着目してなされたものであって、その目的は、吸気性能を優れたものにしながらも、コンパクト化を図る点にある。
【０００６】
【課題を解決するための手段】
請求項１に係る本第１発明の特徴、作用、効果は次の通りである。
【０００７】
〔特徴〕
唐箕軸と一体に回転するように起風羽根をステーを介して唐箕軸に取り付けてある脱穀装置の唐箕であって、前記起風羽根の半径方向での内端縁と唐箕軸との間隔を、唐箕軸軸線方向での端部において部分的に広くした端部空間部分を形成し、前記唐箕軸のうち唐箕ケース内に位置する部分に、唐箕軸と一体に回転することにより、唐箕ケースに形成の吸気口から外部の空気を吸気する吸引手段を取り付けて、この吸引手段を、前記起風羽根と唐箕軸とを連結する部材に起風用部分を設けることによって構成し、かつ、前記端部空間部分に位置させてある点にある。
【０００８】
〔作用〕
唐箕軸と起風羽根との間には、空間が存在する。
上記の点に着目して、本発明によるときは、前記の空間を設置空間として、唐箕ケース内に位置する唐箕軸部分に、唐箕軸と一体に回転することにより、唐箕ケースに形成の吸気口から外部の空気を吸引する吸引手段を取り付けてあるから、吸引手段による吸引により吸気性能を向上しながらも、そのための構成を唐箕ケース外に配置する必要がない。
【０００９】
起風羽根と唐箕軸を繋ぐ部材に起風用部分を設けることで、繋ぎ部材をもって吸引手段を兼用構成してあるから、吸引手段を構成するにあたって別途専用ファンなどの部材が不要である。
【００１０】
【００１１】
〔効果〕
従って、本発明によれば、吸気性能に優れながらも、駆動系も含めた唐箕全体を、唐箕軸の突出部分にファンを備える構造に比較して唐箕軸心方向にコンパクトに構成でき、脱穀装置の性能向上を図りながら小型化することが可能となった。
【００１２】
また、起風羽根と唐箕軸を繋ぐ部材をもって吸引手段を兼用構成してあるから、構造簡単かつ安価に実施できるようになった。
【００１３】
【発明の実施の形態】
脱穀装置は、図１に示すように、フィードチェーン１で搬送される穀稈に対して扱作用する回転扱胴２を備えた扱室３を設け、この扱室３の下方に、回転扱胴２の下側周面に沿って張設した受け網４を漏下してきた処理物を選別処理する選別室５を形成し、この選別室５に選別風を供給する唐箕６と処理物を揺動送りしつつ選別する揺動選別体７とを設け、前記選別室５の底部に、選別一番物を回収して一番スクリュー８ａを介して搬出する一番物回収部８と、選別二番物を回収して二番スクリュー９ａを介して搬送する二番物回収部９とを配設し、搬送されてくる二番物を前記揺動選別体７の搬送始端部に還元する還元コンベア１０を設けて構成されている。
【００１４】
前記唐箕６は、図２、図３にも示すように、唐箕ケース１１のうち脱穀装置の左右の側板から構成される側板部１１ａに吸気口１２を形成し、唐箕軸１３を支承する軸受けステー１４を前記吸気口１２を横断する状態で唐箕ケース１１に取り付け、前記唐箕軸１３に、周方向複数の起風羽根１５を唐箕軸１３と一体に回転するようにステー１６を介して取り付け、前記唐箕軸１３のうち唐箕ケース１１から外方に突出する一端部に、エンジン１７からの動力を受け入れるための入力プーリ１８と前記回転扱胴２への出力プーリ１９とを装着し、他端部に、揺動選別体７や一番スクリュー８ａ、二番スクリュー９ａ、還元コンベア１０などへの二つの出力プーリ２０，２１を取り付け、唐箕軸１３と一体に回転して各吸気口１２から唐箕ケース１１内に外部の空気を吸気する吸引手段を設けて構成されている。
【００１５】
前記軸受けステー１４は、板金加工品であって、そのうち軸受け２２を取り付ける軸受け取付け部位１４Ａと、唐箕ケース１１への取り付け部位１４Ｂとの間の部分には、内外方向で貫通する吸気孔２３が形成されている。
【００１６】
前記入力プーリ１８及び出力プーリ１９，２０，２１のそれぞれには、唐箕軸１３への取付けボスにベルト巻き掛け部を連結させるディスク部に内外方向に貫通する周方向複数の通気孔２４が形成されている。
【００１７】
前記起風羽根１５は、その半径方向での内端縁と前記唐箕軸１３との間隔を、唐箕軸軸線方向での端部において部分的に広くするように、その内端縁が端部側ほど外拡がりとなる傾斜縁に形成してあって、この傾斜縁と唐箕軸１３外周との間に端部空間部分が形成されている。
前記吸引手段は、図２に示すように、唐箕軸１３にこれと一体に回転する軸流ファンＦを取り付けて構成され、前記端部空間部分において、軸流ファンＦの外周を起風羽根１５に連結して、起風羽根１５と軸流ファンＦとを相互補強することにより繋ぎ部材としての役割をも有する。
【００１８】
上記の構成によれば、起風羽根１５の回転に伴う唐箕ケース１１内への吸気のみならず、軸流ファンＦの回転に伴っても唐箕ケース１１内に吸気されるから、吸気性能を優れたものにできる。しかも、軸流ファンＦを唐箕ケース１１内に設けてあるから、全体をコンパクトに構成することができる。
【００１９】
〔別実施形態〕
上記実施の形態では、軸流ファンＦを設けて吸引手段を構成したが、軸流ファンに代えて斜流ファンを設けて吸引手段を構成しても良い。
【００２０】
【００２１】
【００２２】
【００２３】
上記実施の形態では、唐箕ケース１１内への吸気性能を向上するために、軸受けステー１４に吸気孔２３を形成して実施したが、軸受けステー１４に吸気孔２３を形成せずに実施しても良い。
【００２４】
上記実施の形態では、吸気口１２への通気性を良くするために、入力プーリ１８及び出力プーリ１９，２０，２１に通気孔２４を形成して実施したが、通気孔２４を形成せずに実施しても良い。
【図面の簡単な説明】
【図１】脱穀装置の縦断側面図
【図２】唐箕の縦断平面図
【図３】軸受けステーの斜視図
【符号の説明】
１１    唐箕ケース
１２    吸気口
１３    唐箕軸
１５    起風羽根
１６    ステー
【図１】
0003552909.tif 000002
【図２】
0003552909.tif 000003
【図３】
0003552909.tif 000004